(57)【要約】  【課題】断熱性能を従来よりも高め、商品収納装置の引き出し性と挿入性を良くする商品収納装置を提供する。  【解決手段】商品通路を形成するために立設された左右一対の側板１間に水平に架け渡され、高さ方向に蛇行した商品通路を形成するための湾曲形状のスタック２を備え、側板１にはスタック２に突出形成された挿通部３を挿通することにより、スタック２を回動自在に保持する挿通孔４を備え、挿通孔４は側板１の内側に塑性加工によって台座形状６を構成された台座底面７の中央部に設ける。スタック２の挿通部３の商品通路から最も離れた挿通部最先端５が、側板１の商品通路の外側表面である側板外面１０よりも内側に位置するので、自動販売機庫内に設置される商品収納装置は隣り合う商品収納装置や庫内側壁などの部材との接触を回避するための隙間を極小に出来るので、従来の自動販売機と同じ幅でも断熱性能を有する庫内側壁をその分厚く設けることができる。【選択図】図４
2007102318.tif 000002
【特許請求の範囲】
【請求項１】
上下方向に延びる商品通路を有し、前記商品通路は左右に立設された側板と、前記側板に設けられた挿通孔に軸支することによって前記板間に上下に複数配設したスタックを用いて形成される自動販売機の商品収納装置において、前記挿通孔は前記商品通路内方向へ向かって形成したことを特徴とする自動販売機の商品収納装置。
【請求項２】
挿通孔はその外周部に側板とほぼ平行な周縁部を有して形成されたことを特徴とする請求項１に記載の自動販売機の商品収納装置。
【請求項３】
挿通孔に軸支されたスタックの挿入軸部は側板の外面よりも内側に位置したことを特徴とする請求項１または２に記載の自動販売機の商品収納装置。
【請求項４】
側板間の幅を固定してスタックの位置を規制する挿通棒を備え、前記挿通棒は挿通孔に軸支され、前記挿通棒の端部が側板の外面よりも内側に位置した請求項１または２に記載の自動販売機の商品収納装置。
【発明の詳細な説明】
【技術分野】
【０００１】
本発明は、商品通路内に並べて収納した商品を、販売指令に基づいて収納商品の販売を行う自動販売機の商品収納装置に関するものである。
【背景技術】
【０００２】
従来、この種の自動販売機の商品収納装置は、左右に立設された側板と、この側板に設けられた挿通穴にスタックや挿通棒を差し込んで商品通路を形成している（例えば、特許文献１参照）。
【０００３】
図８は特許文献１に記載された従来の自動販売機における商品収納装置のスタックの要部を示す拡大側面図、図９は図８のＣ−Ｃ線断面図である。従来の自動販売機の商品収納装置は、商品通路を形成するために左右に立設された側板１０１と、この側板１０１に設けられた挿通孔１０２と、この挿通孔１０２に軸支することによって側板１０１間に上下に複数配設したスタック１０３とを備えている。
【特許文献１】特開２００１−３１２７７１号公報
【発明の開示】
【発明が解決しようとする課題】
【０００４】
しかしながら、前記従来の構成では、スタック１０３の挿通部１０４を側板１０１の内側から外側へ差し込み、脱落防止するために挿通部１０４が側板１０１の外面よりも脱落しない寸法で突出することになる。そのため、左右の側板１０１間方向の商品収納装置の幅はスタック１０３の挿通部１０４の挿通部最先端１０５間となり、側板１０１間よりも大きくなる。
【０００５】
また、挿通部１０４が側板１０１の外面よりも突出しているために、隣同士に商品収納装置を併設、もしくは自動販売機の本体の断熱機能を有する庫内側壁が隣に設置される場合には、挿通部最先端１０５が干渉しないようにクリアランスを大きくとる必要がある。そのため、自動販売機の全体の幅の制約がある中で挿通部１０４の突出量や、クリアランスが大きくなることにより、断熱性能を有する庫内側壁をその分薄くして対応しなければいけない課題を有していた。
【０００６】
また、断熱性能向上のため、庫内側壁を極力厚く取りたいので挿通部最先端１０５と、併設された商品収納装置や庫内側壁とのクリアランスを必要最低限とするために、商品収納装置を市場交換時やサービス時および組立作業時の引き出し、挿入するときに挿通部最先端１０５が側板１０１より部分的に複数突出しているため、左右に振れた場合に前述の隣あう部分に接触しやすく、作業しにくいという課題を有していた。
【０００７】
本発明は、前記従来の発明の課題を解決するもので、側板からのスタック挿通部の突出量を小さくすることによって断熱性能を従来よりも高め、商品収納装置の引き出し性と挿入性を良くする商品収納装置を提供することを目的とする。
【課題を解決するための手段】
【０００８】
前記従来の課題を解決するために、本発明の自動販売機の商品収納装置は、上下方向に延びる商品通路を有し、前記商品通路は左右に立設された側板と、前記側板に設けられた挿通孔に軸支することによって前記板間に上下に複数配設したスタックを用いて形成される自動販売機の商品収納装置において、前記挿通孔は前記商品通路内方向へ向かって形成したものである。
【０００９】
これによって、スタック挿通部と挿通孔の軸支部分が側板内側にあるため、側板の外面から軸支部分までの凹んだ寸法分、スタック挿通部の側板の外面からの突出量を従来よりも小さく出来るため、隣り合う部材とのクリアランスを小さく出来、従来の自動販売機と同じ幅でも、断熱性能を有する庫内側壁をその分厚く設けて断熱性能を高めることができる。
【００１０】
また、本発明の自動販売機の商品収納装置は挿通孔を商品通路に収納される商品の干渉領域外に形成することによって、左右に立設する側板間の商品通路幅を従来から広げることなく、商品を収納時に商品落下するときの商品姿勢を崩す干渉部がないため、従来と同様に安定した商品落下姿勢を維持することができる。
【００１１】
また、本発明の自動販売機の商品収納装置は挿通孔に軸支されたスタックの挿入軸部が側板の外面よりも内側に位置しているので、部分的に突出している部分が無く、側板の外面と隣り合う部材である、商品収納装置や庫内側壁と接触して引っかかるような症状を抑え、よりスムーズに商品収納装置を市場交換時やサービス時および組立作業時に引き出し、挿入することができる。
【００１２】
また、本発明の自動販売機の商品収納装置は側板間の幅を固定してスタックの位置を規制する記挿通棒は挿通孔に軸支され、前記挿通棒の端部が側板の外面よりも内側に位置しているので、スタック同様に部分的に突出している部分が無く、側板の外面と隣り合う部材である、商品収納装置や庫内側壁と接触して引っかかるような症状を抑え、よりスムーズに商品収納装置を市場交換時やサービス時および組立作業時に引き出し、挿入することができる。
【発明の効果】
【００１３】
本発明の自動販売機の商品収納装置は、側板からのスタック挿通部や挿通棒の突出量を小さくすることによって断熱性能を従来よりも効果的に高め、商品収納装置の引き出し性と挿入性を良くすることができる。
【発明を実施するための最良の形態】
【００１４】
請求項１に記載の発明は、上下方向に延びる商品通路を有し、前記商品通路は左右に立設された側板と、前記側板に設けられた挿通孔に軸支することによって前記板間に上下に複数配設したスタックを用いて形成される自動販売機の商品収納装置において、前記挿通孔は前記商品通路内方向へ向かって形成しているので、側板からのスタック挿通部や挿通棒の突出量を小さくすることによって断熱性能を従来よりも効果的に高め、商品収納装置の引き出し性と挿入性を良くすることができる。
【００１５】
請求項２に記載の発明は、請求項１に記載の発明において、挿通孔はその外周部に側板とほぼ平行な周縁部を有して形成されたことにより、左右に立設する側板間の商品通路幅を従来から広げることなく、商品落下するときの商品姿勢を崩す干渉部を無くし、商品落下姿勢を維持することができる。
【００１６】
請求項３に記載の発明は、請求項１または２に記載の発明において、挿通孔に軸支されたスタックの挿入軸部が側板の外面よりも内側に位置することにより、部分的に突出している部分が無く、側板の外面と隣り合う部材である、商品収納装置や庫内側壁と接触して引っかかるような症状を抑え、よりスムーズに商品収納装置を市場交換時やサービス時および組立作業時に引き出し、挿入することができる。
【００１７】
請求項４に記載の発明は、請求項１または２に記載の発明において、側板間の幅を固定してスタックの位置を規制する挿通棒を備え、前記挿通棒は挿通孔に軸支され、前記挿通棒の端部が側板の外面よりも内側に位置することによってスタック同様に部分的に突出している部分が無く、側板の外面と隣り合う部材である、商品収納装置や庫内側壁と接触して引っかかるような症状を抑え、よりスムーズに商品収納装置を市場交換時やサービス時および組立作業時に引き出し、挿入することができる。
【００１８】
（実施の形態１）
図１は本発明の実施の形態１における自動販売機の商品収納装置の斜視図であり、図２は本発明の実施の形態１における自動販売機の商品収納装置のスタックの要部を示す拡大斜視図、図３は本発明の実施の形態１における自動販売機の商品収容装置のスタックの要部を示す拡大側面図、図４は図３のＡ−Ａ線断面図である。また、図５は本発明の実施の形態１における収納商品とスタック支持部の寸法関係を示す拡大図であり、図６は本発明実施の形態１における自動販売機の商品収容装置の挿通棒取り付け部を示す拡大側面図、図７は図６のＢ−Ｂ線断面図である。
【００１９】
図１および図２において、本発明にかかる商品収納装置は商品通路を形成するために立設された左右一対の側板１と、この側板１間に水平に架け渡され、高さ方向に蛇行した商品通路を形成するための湾曲形状のスタック２とを備えている。この側板１にはスタック２に突出形成された挿通部３を挿通することにより、スタック２を回動自在に保持する挿通孔４を備えている。
【００２０】
この挿通孔４は、図３および図４に示すように、側板１の内側に塑性加工によって商品通路内方向に向かう台座形状６を構成し、台座形状６の端部はスタック２の軸方向に向かって折り曲げられて挿通孔４の周縁部となる台座底面７を形成している。したがって挿通孔４の先端部とスタック２の側面部２ａが接触せず、台座底面７とスタック２の側面部２ａとが接触して構成されるためにスタック２がスムーズに回動し、また挿通部３の挿通方向の位置規制の役割もしている。
【００２１】
台座底面７により位置規制されたスタック２は、スタック２の端面から挿通最先端部５までの挿通部寸法８よりも台座深さ寸法９のほうが長いため、スタック２の軸である挿通最先端部５は、側板１の外側表面である側板外面１０よりも内側に位置している。そのため、側板外面１０からの円筒形で構成された挿通部５の局部的な突出などがないので、商品収納装置を製造工程で本体に組み込む場合や、市場サービスなどで、引き出したり、挿入したりする場合でも、隣に位置する部材に引っかかったりするような干渉をまったく排除することが出来る。
【００２２】
また、図５に示すように、台座底面７の折返し部７ａと前後方向に配置したスタック２までの通路寸法１１は最小通路寸法で形成され、収納商品の最大径寸法である商品直径１２よりも大きく形成されて通路方向に塑性加工で押し出されて構成されている。そのため、収納する商品がスタック２と台座形状６との間に挟まれて詰まりを起こして未販売などや、収納姿勢や商品移動時の落下姿勢を大きく崩して商品立ちなどの搬出不良を起こすこともない。これにより、従来の商品通路幅を大きくすることなく、従来と同一の商品通路幅で実現できる。
【００２３】
上記の構成のように、スタック２の挿通部３の商品通路から最も離れた挿通部最先端５が、側板１の商品通路の外側表面である側板外面１０よりも内側に位置するので、自動販売機庫内に設置される本発明の商品収納装置は隣り合う商品収納装置や、庫内側壁などの部材との接触を回避するための隙間を極小に出来るので、従来の自動販売機と同じ幅でも、断熱性能を有する庫内側壁をその分厚く設けて効果的に断熱性能を高めることができるので、省エネに貢献でき、また、隣り合う部材である、商品収納装置や庫内側壁と接触して引っかかるような症状を抑え、よりスムーズに商品収納装置を市場交換時やサービス時および組立作業時に引き出し、挿入することができる。
【００２４】
また、自動販売機の商品収納装置には、スタック２と同様に側板１間の幅を決定する挿通棒１３を備えるものもある。図６および図７のように、挿通棒１３は薄板の板金を円筒状に加工したものが主流であり、その両端は側板間の幅を決定するために、折り曲げ塑性加工された、保持形状部１４を備える。この保持形状部１４は図６に示すような多数の凸形状部１５で構成されており、従来は側板１の表面に押し付けられた状態で折り曲げ塑性加工されていたので、商品収納装置が少し左右に振れた場合に隣り合う部材である、商品収納装置や庫内側壁と接触して引っかかるような症状を引き起こしやすかった。
【００２５】
本発明では保持形状部１４が、側板１の商品通路の外側表面である側板外面１０よりも内側に位置させて、前述のスタック２の場合と同様の構成を盛り込むことにより、自動販売機庫内に設置される本発明の商品収納装置は隣り合う商品収納装置や、庫内側壁などの部材との接触を回避するための隙間を極小に出来るので、従来の自動販売機と同じ幅でも、断熱性能を有する庫内側壁をその分厚く設けて効果的に断熱性能を高めることができるので、省エネに貢献でき、また、隣り合う部材である、商品収納装置や庫内側壁と接触して引っかかるような症状を抑え、よりスムーズに商品収納装置を市場交換時やサービス時および組立作業時に引き出し、挿入することができる。
【００２６】
なお、上記実施の形態においては、本発明にかかる挿通棒１３は薄板の板金を円筒状に加工し、折り曲げ塑性加工された保持形状部１４を備えるものと説明したが、側板１間の幅を決定するすべての部材に適用でき、たとえば、金属製のピンや樹脂成形の円筒形部材をプッシュナットやスナップピン、割ピン、Ｅリング等の固定部材と組み合わせて使用する場合にも、同様の効果が得られる。
【産業上の利用可能性】
【００２７】
以上のように本発明にかかる自動販売機の商品収納装置は、側板からのスタック挿通部や挿通棒の突出量を小さくすることによって従来の自動販売機と同じ幅でも、断熱性能を有する庫内側壁をその分厚く設けて断熱性能を効果的に高め、また、商品収納装置の引き出し性と挿入性を良くすることができるので、スタックや挿通棒以外のあらゆる構成の商品収納装置の側板との取り付け方法にも適用できる。
【図面の簡単な説明】
【００２８】
【図１】本発明の実施の形態１における自動販売機の商品収納装置の斜視図
【図２】本発明の実施の形態１における自動販売機の商品収納装置のスタックの要部を示す拡大斜視図
【図３】本発明の実施の形態１における自動販売機の商品収容装置のスタックの要部を示す拡大側面図
【図４】図３のＡ−Ａ線断面図
【図５】本発明の実施の形態１における収納商品とスタック支持部の寸法関係を示す拡大図
【図６】本発明の実施の形態１における自動販売機の商品収容装置の挿通棒取り付け部を示す拡大側面図
【図７】図６のＢ−Ｂ線断面図
【図８】従来の自動販売機の商品収納装置のスタックの要部を示す拡大側面図
【図９】図８のＣ−Ｃ線断面図
【符号の説明】
【００２９】
１    側板
２    スタック
３    挿通部
４    挿通孔
６    台座形状
７    台座底面
８    挿通部寸法
９    台座深さ寸法
１０  側板外面
１３  挿通棒
【図１】
2007102318.tif 000003
【図２】
2007102318.tif 000004
【図３】
2007102318.tif 000005
【図４】
2007102318.tif 000006
【図５】
2007102318.tif 000007
【図６】
2007102318.tif 000008
【図７】
2007102318.tif 000009
【図８】
2007102318.tif 000010
【図９】
2007102318.tif 000011